(57)【要約】      （修正有）【課題】ボトル型の大型ガス容器を立てて設置することで占有面積を削減する大型ガス容器スタンド装置を提供する。【解決手段】大型ガス容器スタンド装置１０は、少なくとも２つの固定フレーム１２を備え、その固定フレーム１２上には固定素子１４を設け、固定素子１４は大型ガス容器１６の両端に環着し、かつ固定素子１４上には一体成型の複数の支持棒１４２を設け、その支持棒１４２上には第一締結素子を設けることにより固定素子１４を固定フレーム１２上に締結し、両フレームの間には複数の支持バー２０を設け、かつ支持バー２０の両端には少なくとも１つの第二締結素子を設けることにより支持バー２０を２つの固定フレーム１２の間に固定する。【選択図】図３
0003179040.tif 000002
【実用新案登録請求の範囲】
【請求項１】
少なくとも２つの固定フレームと、
前記固定フレーム上に設置され、前記大型ガス容器の両端に環着するものであり、一体成型された複数の支持棒を設け、前記支持棒上には少なくとも１つの第一締結素子を設けることで前記固定フレーム上に締結される固定素子と、
前記２つの固定フレームの間に環設され、両端には少なくとも２つの第二締結素子を設けることにより前記固定フレームの間で固定される支持バーと、
を備えることを特徴とする大型ガス容器スタンド装置。
【請求項２】
少なくとも１つの前記固定フレーム上に設置される複数の方向自在キャスターを更に備えることを特徴とする、請求項１に記載の大型ガス容器スタンド装置。
【請求項３】
少なくとも１つの前記固定フレーム上に環設された少なくとも１つの吊るし部を更に備えることを特徴とする、請求項１に記載の大型ガス容器スタンド装置。
【請求項４】
前記固定フレームは金属材質であることを特徴とする、請求項１に記載の大型ガス容器スタンド装置。
【請求項５】
前記支持バーは金属材質であることを特徴とする、請求項１に記載の大型ガス容器スタンド装置。
【請求項６】
前記固定素子は環形状であり、前記支持棒の一端に前記第一締結素子を設けることにより前記支持棒を前記固定フレーム上に環状に締結し、もう一端は環状に前記固定素子を支持することで、前記固定素子と固定前記フレームの間に距離を持たせることを特徴とする、請求項１に記載の大型ガス容器スタンド装置。
【請求項７】
前記第一締結素子は膨張ネジであることを特徴とする、請求項１に記載の大型ガス容器スタンド装置。
【請求項８】
前記第二締結素子は膨張ネジであることを特徴とする、請求項１に記載の大型ガス容器スタンド装置。
【請求項９】
前記支持棒は金属材質であることを特徴とする、請求項１に記載の大型ガス容器スタンド装置。
【請求項１０】
前記固定素子は金属材質であることを特徴とする、請求項１に記載の大型ガス容器スタンド装置。
【考案の詳細な説明】
【技術分野】
【０００１】
本考案は、大型ガス容器を集めて配置しまとめて運搬できる装置に関するものであり、特に大型ガス容器スタンド装置に関するものである。
【背景技術】
【０００２】
一般的な大型ガス容器の外観デザインはボトルのような円柱型であるため、大型ガス容器を直接平面上に置く場合、転がり易くなる。そのため市場では、大型ガス容器を支持して転がるのを防止する、大型ガス容器（ｃｒａｄｌｅ）を収容配置するための装置が設計されている。
【０００３】
図１は公知の大型ガス容器支持装置である。
図が示すように、ボトル型の大型ガス容器支持装置５０は、２本の支持バー５２を備え、支持バー５２の両端には、２本の支持バー５２に渡し大型ガス容器５６と一体的に成形された２つの支持部材５４をそれぞれ設けて、大型ガス容器５６を支える。更に、２本のロープ６０で大型ガス容器５６をくくり付け、大型ガス容器５６を支持バー５２上部に横倒しで載置し転がらないようにすることで、大型ガス容器５６の配置を容易にする。また両支持バー５２下部に固定脚５８を設置することで、フォークリフトと合わせて使用できる。
しかし、公知の大型ガス容器支持装置５０は、大型ガス容器５６を１８０度の水平な平面上に横倒しで配置することしかできず、９０度の垂直に立てて置くことはできないので、大型ガス容器５６を積み重ねて置くことができず、占有面積が大きくなってしまう。
【考案の概要】
【考案が解決しようとする課題】
【０００４】
本考案は、これらの点を考慮し、上述した公知技術の欠点に鑑みて成されたもので、上述の問題を克服するのに有効な、大型ガス容器スタンド装置を提案する。
本考案の主な目的は、構造を計算した設計により、ボトル型の大型ガス容器を立てて配置できる装置を製作し、大量の大型ガス容器を集めて配置することで、占有空間を節約し、大型ガス容器を保護して安全に積載できるなどの設計理念に適う大型ガス容器スタンド装置を提供することである。
【０００５】
本考案のもう１つの目的は、方向自在キャスターを組み付けた設計により、大型ガス容器の配置場所を自在に移動でき、運搬装置の高さにもとづき本考案の高さを調整し、運送を便利にする大型ガス容器スタンド装置を提供することである。
【０００６】
本考案の更なる目的は、構造がシンプルで、積載重量と構造強度が増強され、組み立てが迅速で容易な大型ガス容器スタンド装置を提供することである。
【課題を解決するための手段】
【０００７】
上述の目的を達成するため、本考案の提供する大型ガス容器スタンド装置は、少なくとも２つの固定フレームを備える。固定フレーム上には固定素子を設け、支持部材を固定および保護するとともに、大型ガス容器の両端に環着することにより、大型ガス容器を固定する。また、固定素子上には一体成型の複数の支持棒を設け、支持棒上には第一締結素子を設け、固定素子を固定フレーム上に締結する。両フレームの間には複数の支持バーを更に設け、支持バー両端には少なくとも１つの第二締結素子を設け、支持バーを２つの固定フレームの間に固定する。
【考案の効果】
【０００８】
本考案は、構造を計算した設計により、ボトル型の大型ガス容器を立てて配置できる装置を製作し、大量の大型ガス容器を集めて配置することで空間を節約でき、大型ガス容器を保護して安全に積載できるなどの設計理念に適ったものになる。また、本考案は方向自在キャスターを取り付けることで、大型ガス容器の配置場所を自在に方向移動でき、運搬が非常に便利になる。更に、本考案は、構造がシンプルで、積載重量と構造強度が増強され、生産効率が高く、組み立てが迅速で容易である。
【図面の簡単な説明】
【０００９】
【図１】公知の大型ガス容器支持装置の斜視図。
【図２】本考案第一実施例の斜視図。
【図３】本考案第一実施例の使用状態を示す図。
【図４】本考案第一実施例の素子分解図。
【図５】本考案第二実施例の斜視図。
【図６】本考案第二実施例の使用状態を示す図。
【図７】本考案第二実施例の素子分解図。
【図８】本考案第二実施例の縦横連続配置を示す図。
【図９】本考案第三実施例の斜視図。
【考案を実施するための形態】
【００１０】
本考案の特徴と効果の更なる理解と認識のため、以下に図面を参照しながら好ましい実施例について説明する。
【実施例】
【００１１】
図２、図３および図４を同時に参照されたい。これらの図は全て本考案の大型ガス容器スタンド装置１０の第一実施例であり、最初は横方向に置き、大型ガス容器１６を設置した後、大型ガス容器スタンド装置１０を立てる。大型ガス容器スタンド装置１０は２つの固定フレーム１２を利用する。
固定フレーム１２は金属材質で作製され、大型ガス容器スタンド装置１０の強度及び安定度が強化される。固定フレーム１２上には固定素子１４を設ける。
固定素子１４は、大型ガス容器スタンド装置１０内の大型ガス容器１６の両端に環着し、大型ガス容器１６を大型ガス容器スタンド装置１０内に固定するのに用いる。固定素子１４には一体成型の支持棒１４２を設ける。
本実施例では、固定素子１４の強度を強化するため、支持棒１４２を固定素子１４の円環内に設置する。支持棒１４２上には、膨張ネジである第一締結素子１８を少なくとも１つ設け、固定素子１４を固定フレーム１２上に固定する。
２つの固定フレーム１２の間には、金属材質の支持バー２０を複数環設し、本考案の強度を高める。支持バー２０の両端には、膨張ネジである第二締結素子２２を少なくとも２つ設け、支持バー２０を２つの固定フレーム１２の間に固定する。
固定フレーム１２上には複数の方向自在キャスター２６を更に設け、本考案の大型ガス容器スタンド装置１０を立てた後、自由自在に方向移動できるようにする。もう１つの固定フレーム１２には少なくとも１つの吊るし部２８を設け、大型ガス容器スタンド装置１０を吊るして、垂直に立てて使用できるようにする。
上述の素子は全て取り外しが可能なので、大型ガス容器１６を設置する時は、まず、大型ガス容器１６と、大型ガス容器１６と一体成型である支持部材２４を、２本の支持バー上に置く。次に、固定素子１４に組み付け済みの固定フレーム１２を用いて大型ガス容器の両端に環着し、２本の支持バー２０と締結し、更に、少なくとも２本の支持バー２０を用いて固定フレーム１２上に固定することで、大型ガス容器スタンド装置１０が組み立て形成される。
【００１２】
次に、図５、図６および図７を参照されたい。
図は全て本考案の第二実施例である。本考案の大型ガス容器スタンド装置１０をまず横向きに置き、大型ガス容器１６を設置した後、大型ガス容器スタンド装置１０を立てる。
大型ガス容器スタンド装置１０は２つの固定フレーム１２を利用する。固定フレーム１２は金属材質である。固定フレーム１２上には固定素子１４を設ける。固定素子１４は、大型ガス容器スタンド装置１０内の大型ガス容器１６の両端に環着する。固定素子１４には一体成型の支持棒１４２を更に複数設ける。
固定素子１４と支持棒１４２はいずれも金属材質であり、固定素子１４の強度が強化される。第一実施例と異なるのは、支持棒１４２の一端は固定フレーム１２上に環状に突き立てて締結し、もう一端は、固定素子１４に環状に突き立てて締結することにより、固定素子１４と固定フレーム１２の間に距離を持たせる点である。
支持棒１４２と固定フレーム１２は、少なくとも１つの第一締結部材１８を利用して支持棒１４２を固定フレーム１２上に固定する。第一締結部材１８は膨張ネジである。２つの固定フレーム１２の間には金属材質の支持バー２０を複数環設し、本考案の強度を高める。支持バー２０の両端には、膨張ネジである第二締結素子２２を少なくとも２つ設け、支持バー２０を２つの固定フレーム１２の間に固定する。
固定フレーム１２上には複数の方向自在キャスター２６を更に設け、本考案の大型ガス容器スタンド装置１０を立てた後、自由自在に方向移動できるようにする。もう１つの固定フレーム１２には少なくとも１つの吊るし部２８を設け、大型ガス容器スタンド装置１０を吊るして、垂直に立てて使用できるようにする。
上述の素子は全て取り外しが可能なので、大型ガス容器１６を設置する時は、まず、大型ガス容器１６と、大型ガス容器１６と一体成型である支持部材２４を、２本の支持バー２０上に置く。次に、固定素子１４に組み付け済みの固定フレーム１２を用いて大型ガス容器の両端に環着し、２本の支持バー２０と締結し、更に、少なくとも２本の支持バー２０を用いて固定フレーム１２上に固定することで、大型ガス容器スタンド装置１０が組み立て形成される。
【００１３】
本考案の大型ガス容器スタンド装置１０は、まず横倒しの大型ガス容器１６を大型ガス容器スタンド装置１０に横倒しのまま設置した後、大型ガス容器１６を立てる。ここではでは第二実施例の装置を立てて縦横に連続配置する例を挙げる。第一実施例も同様にこの方式を用いることができる。第二実施例の大型ガス容器スタンド装置１０を複数相互配列したものを図８に示す。  
横向きでは大型ガス容器１６を積み重ねて占有面積を削減することはできないが、本考案は長方形であるため、各大型ガス容器スタンド装置１０を縦横に配列でき、その装置間には余分な隙間ができないので、無駄な占有空間ができず、大型ガス容器１６の占有空間を節約でき、大型ガス容器１６の配置に便利である。
【００１４】
本考案の大型ガス容器スタンド装置１０を配置した後の、運送過程における、貨物運搬車およびコンテナ収納の高さを考慮したものを図９に示す。
固定フレーム１２と固定素子１４の間は第一締結素子１８を用いて締結接続するので、取り外しが可能である。本実施例では、固定素子１４と固定フレーム１２を分離した後、支持バー２０をより短いものに変え、更に、固定素子１４を取り外した固定フレーム１２を、第二締結素子２２を利用して支持バー２０上に締結する。これにより、大型ガス容器スタンド装置１０が占有する余分な空間を省くことができ、高さを低くして、本考案を直立方式で積載運搬できるようになる。
【００１５】
上述の記載は本考案の好ましい実施例の説明に過ぎず、本考案の実施範囲を限定するものではない。従って、本考案の精神と領域を脱しない範囲内で加えた形状、構造、特徴など各種の変更や潤色は全て、本考案の実用新案登録請求の範囲内に含まれる。
【符号の説明】
【００１６】
１０  大型ガス容器スタンド装置
１２  固定フレーム
１４  固定素子  
１４２  支持棒
１６  大型ガス容器
１８  第一締結素子
２０  支持バー
２２  第二締結素子
２４  支持部材
２６  方向自在キャスター
２８  吊るし部
５０  大型ガス容器支持装置
５２  支持バー
５４  支持部材
５６  大型ガス容器  
５８  固定脚  
６０  ロープ
【図１】
0003179040.tif 000003
【図２】
0003179040.tif 000004
【図３】
0003179040.tif 000005
【図４】
0003179040.tif 000006
【図５】
0003179040.tif 000007
【図６】
0003179040.tif 000008
【図７】
0003179040.tif 000009
【図８】
0003179040.tif 000010
【図９】
0003179040.tif 000011